(57)【特許請求の範囲】
【請求項１】
ケーキ状メイクアップ化粧料を収容した容器本体、容器本体に被さる蓋、メイクアップ化粧料上に載置される保護シートを備えたメイクアップ化粧品であって、保護シートが、複数種の図柄の抜き穴が形成されたステンシル領域を有するメイクアップ化粧品。
【請求項２】
複数色のケーキ状メイクアップ化粧料が収容されている請求項１記載のメイクアップ化粧品。
【請求項３】
保護シートが可撓性を有している請求項１又は２に記載のメイクアップ化粧品。
【請求項４】
ステンシル領域が保護シートの面積の５０％以下の領域に偏在している請求項１〜３のいずれかに記載のメイクアップ化粧品。
【請求項５】
抜き穴の合計の面積が保護シート全体の面積の３０％以下である請求項１〜４のいずれかに記載のメイクアップ化粧品。
【請求項６】
メイクアップ化粧料がアイシャドウである請求項１〜５のいずれかに記載のメイクアップ化粧品。
【請求項７】
容器本体が、ケーキ状メイクアップ化粧料を色毎に仕切る枠を有し、メイクアップ化粧料の上面から枠が突出している請求項２〜６のいずれかに記載のメイクアップ化粧品。
【発明の詳細な説明】
【技術分野】
【０００１】
本発明は、ケーキ状メイクアップ化粧料に保護シートが載置されているメイクアップ化粧品に関する。
【背景技術】
【０００２】
粉末化粧料を圧縮成形したケーキ状のメイクアップ化粧料を容器に収容した化粧品では容器内で化粧料が飛散することを防止するため、その化粧品が蓋の内面に鏡を有するコンパクトタイプのものであるときには鏡が化粧料で汚れることを防止するため、また、その化粧品の容器内に化粧料と共にパフが収容されるときにはパフが化粧料と接触することを防止するため、化粧料の上に保護シートが載置される。このような保護シートのうち、眉墨用の保護シートについては、その一辺を眉形状の湾曲辺とし、保護シートを眉毛テンプレートとすることが提案されている（特許文献１）。この保護シートによれば、所定の眉形状を描くために別途眉毛テンプレートを用意することが不要となる。しかしながら、この保護シートの湾曲辺を用いて描けるのは眉毛の輪郭だけである。
【０００３】
一方、イベント、パーティ等で、顔や身体に種々の図柄を描いたり、日常とは異なるイベント向けのアイメイクをしたりするために、透明シートに図柄が打ち抜かれたステンシルシートを肌にあて、アイライナー、眉墨等の化粧料やボディペイントを使用して図柄を描くことが行われている（特許文献２、３）。
【先行技術文献】
【特許文献】
【０００４】
【特許文献１】実用新案登録第３０６０５１３号公報
【特許文献２】特開２００１−１８０７４９号公報
【特許文献３】特開２０１６−５２３５７０号公報
【発明の概要】
【発明が解決しようとする課題】
【０００５】
アイライナー、眉墨等の化粧料で顔や身体に図柄を描く場合、日常的に使用しているアイライナー、眉墨等の化粧料を使用すればよいが、これらは一般に黒色や濃茶色等の暗い色であり、ボディペイントほどの色のバリエーションがない。
【０００６】
ボディペイントを使用すると豊富な色のバリエーションにより多彩な印象を表現することができるが、ボディペイントは日常的に使用するものではないため、別途用意することが必要となる。
【０００７】
また、図柄をアイライナー、眉墨等の化粧料で描く場合も、ボディペイントで描く場合も、ステンシルシートは別途用意しなくてはならない。
【０００８】
これに対し、本発明は、日常的に使用する化粧品だけで種々の図柄を肌に簡便に描けるようにすることを課題とする。
【課題を解決するための手段】
【０００９】
本発明者は、アイシャドウ等のケーキ状メイクアップ化粧料が容器本体に収容され、その化粧料に保護シートが載置されるメイクアップ化粧品において、保護シートに複数種の図柄の抜き穴が形成されたステンシル領域を設けることにより、上述の課題を解決できることを想到し、本発明を完成させた。
【００１０】
即ち、本発明は、ケーキ状メイクアップ化粧料を収容した容器本体、容器本体に被さる蓋、メイクアップ化粧料上に載置される保護シートを備えたメイクアップ化粧品であって、保護シートが、複数種の図柄の抜き穴が形成されたステンシル領域を有するメイクアップ化粧品を提供する。
【発明の効果】
【００１１】
本発明のメイクアップ化粧品によれば、保護シートがステンシル領域を有するので、別途ステンシルシートを用意することなく、日常使用する化粧品だけで顔や身体に種々の図柄を簡便に描くことが可能となる。
【００１２】
また、ケーキ状メイクアップ化粧品は一般に色揃えが豊富であるため本発明のメイクアップ化粧品で描く図柄が黒色等の暗い色に限定されることはなく、特に、本発明のメイクアップ化粧品が複数色のケーキ状メイクアップ化粧料を備えている場合には該メイクアップ化粧品を用いるだけで保護シートのステンシル領域を用いて描く図柄に種々の色を使用し、色彩的に多様な印象をもたせることが可能となる。
【図面の簡単な説明】
【００１３】
【図１】図１は、実施例のメイクアップ化粧品の斜視図である。
【図２】図２は、実施例のメイクアップ化粧品の保護シート１０Ａの平面図である。
【図３Ａ】図３Ａは、ステンシル領域の面積の測定方法の説明図である。
【図３Ｂ】図３Ｂは、ステンシル領域の面積の測定方法の説明図である。
【図４Ａ】図４Ａは、実施例のメイクアップ化粧品の保護シート１０Ａを用いた描いた目元周りの化粧例である。
【図４Ｂ】図４Ｂは、実施例のメイクアップ化粧品の保護シート１０Ａを用いた描いた目元周りの化粧例である。
【図５】図５は、実施例のメイクアップ化粧品の保護シート１０Ｂの平面図である。
【図６】図６は、実施例のメイクアップ化粧品の保護シート１０Ｂを用いて描いた目元周りの化粧例である。
【図７】図７は、実施例のメイクアップ化粧品の保護シート１０Ｃの平面図である。
【図８】図８は、実施例のメイクアップ化粧品の保護シート１０Ｃを用いて描いた目元周りの化粧例である。
【発明を実施するための形態】
【００１４】
以下、図面を参照しつつ本発明を詳細に説明する。なお、各図中、同一符号は同一又は同等の構成要素を表している。
【００１５】
（メイクアップ化粧品の全体構成）
図１は、本発明の一実施例のメイクアップ化粧品１の斜視図である。このメイクアップ化粧品１は、容器本体２に、ケーキ状メイクアップ化粧料としてケーキ状アイシャドウ３を収容している。本実施例のメイクアップ化粧品１は、複数色のケーキ状メイクアップ化粧料を収容している。容器本体２には該容器本体２に被さる蓋４がヒンジで開閉自在に取り付けられており、蓋４の内側に鏡５が取り付けられている。ケーキ状アイシャドウ３の上には保護シート１０が載置される。
【００１６】
なお、本発明においてメイクアップ化粧品の容器はコンパクトタイプに限られず、蓋が容器本体から着脱自在に取り外せるものでもよい。
【００１７】
（保護シート）
保護シート１０は好ましくは透明または半透明に形成されている。保護シート１０を透明性または半透明にすることにより、保護シート１０を目の近傍で肌にあてたときにも視界が塞がれず、また、保護シートを通して肌の部位の輪郭や起伏を認識することができるので使い易さが向上する。
【００１８】
保護シート１０には、肌に種々の図柄を描けるように複数種の図柄の抜き穴１１が形成されている。保護シート１０の平面図の一例を図２に示す。なお、図２において細かい破線は、保護シート１０Ａを容器本体２内に収まるようにケーキ状アイシャドウ３の上に載置したときの該容器本体２とケーキ状アイシャドウ３の平面図を表している。抜き穴１１は保護シート１０Ａの片側に偏在しており、保護シート１０Ａは、抜き穴１１同士が近接して配置されたステンシル領域１２を有している。ステンシル領域１２を、偏在して存在する抜き穴１１の外周部の抜き穴に外接する多角形とした場合にステンシル領域１２の大きさは便宜的に図３Ａに示すように方眼１３を用いて測定することができる。即ち、ステンシル領域上に所定ピッチ（例えば、５ｍｍ〜１０ｍｍピッチ）の方眼１３を重ね、抜き穴１１に掛かる方眼のマス目全体の外周１４で囲まれた面積とすることができる。このような面積の測定方法は、図３Ｂに示すように、保護シート１０Ａが円形であっても適用することができる。こうして測定される面積が保護シート１０Ａの面積の５０％以下が好ましい。これにより、抜き穴１１が形成されていない非ステンシル領域１２を把持してステンシル領域１２内の所望の抜き穴１１を所望の向きで肌にあて、その抜き穴１１の図柄を肌に描くことが容易となり、保護シート１０Ａを裏返して同様に使用することも容易となる。また、保護シート１０Ａのデザイン性も向上する。
【００１９】
抜き穴１１自体の図柄や配置に制限はなく、アイシャドウの化粧品の保護シート１０であっても、アイシャドウを用いた通常の化粧において瞼に描く影の形と無関係に、図柄自体のデザイン性等の点から定めることができる。例えば、図２に示す保護シート１０Ａ、図５に示す保護シート１０Ｂ、図７に示す保護シート１０Ｃの抜き穴１１のように、三角形、四角形、星形、稲妻型、ハート型、クラウンマーク、屈曲線、格子型、花型等の任意の図柄とすることができる。そして、図２に示す保護シート１０Ａから、抜き穴１１を任意に選択して例えば図４Ａに示す目元周りのメイクをすることができ、さらに同図に破線で示した稲妻型の図柄のメイクを加えてもよい。また、図２に示した保護シート１０Ａから図４Ｂに示す目元周りのメイクをしてもよい。同様に、図５に示す保護シート１０Ｂから、例えば図６に示す目元周りのメイクをすることができ、図７に示す保護シート１０Ｃから、例えば図８に示す目元周りのメイクをすることができる。
【００２０】
個々の抜き穴１１の大きさにも特に制限はないが、図１に示すように、複数色のケーキ状アイシャドウ３が色毎に枠６で仕切られている場合、あるいは複数色のケーキ状アイシャドウが色毎に容器本体に設けられた凹部に充填されている場合（図示せず）、枠による個々の仕切内の面積または凹部の面積に対して個々の抜き穴１１の面積が小さいことが好ましく、また、保護シート１０Ａをケーキ状アイシャドウ３の上に載置したときに、色毎のアイシャドウ領域３ａ上に位置する抜き穴１１の面積（色毎のアイシャドウ領域３ａの一つに複数個の抜き穴１１が位置する場合には、その複数個の抜き穴の該領域３ａ上の面積の合計）を色毎のアイシャドウ領域３ａの面積の約３０％以下とすることが好ましい。また、複数の抜き穴１１の合計の面積を保護シート１０の面積の３０％以下とすることが好ましく、２０％以下とすることが更に好ましく、１５％以下とすることが一層好ましい。これによりケーキ状アイシャドウ３の飛散防止等の保護シート１０本来の機能を維持することができる。
【００２１】
また、化粧料の飛散防止、鏡の汚染防止等の保護シート本来の機能の維持の点から、図１に示すように保護シート１０を容器本体２内に収まるようにケーキ状アイシャドウ３の上に載置した場合に、複数個ある抜き穴１１の中でも面積の大きい抜き穴１１ａが、ケーキ状アイシャドウ３から外れた部分にくるように抜き穴１１を配置することが好ましい。そこで、容器本体２に塗布具７が収容される場合には、保護シート１０を容器本体２内に収めたときに抜き穴１１ａが塗布具７の上にくるように抜き穴１１ａを配置してもよい。
【００２２】
さらに、複数の抜き穴１１の配置に関し、複数の抜き穴１１の頂点がミシン目のように配列しないことが好ましい。これにより、抜き穴１１をフィルムの抜き加工により形成する場合にフィルムが不用にちぎれることを防止できる。
【００２３】
一方、保護シート１０の形成材料としては、保護シート１０のステンシル領域１２を顔等の肌にあてる場合に、保護シート１０を肌の立体形状に沿わせることができるように、可撓性を有することが好ましく、例えば、ポリエチレンテレフタレート（ＰＥＴ）、ポリプロピレン（ＰＰ）等の熱可塑性樹脂を使用することができ、またエラストマー（例えば、ＥＭＭＡ）を用いることが好ましい。
【００２４】
エラストマーは、ゴム状弾性を示す高分子成形体であり、エラストマーを構成するエラストマー樹脂としては、天然ゴム（ＮＲ）、ジエン系ゴム、非ジエン系ゴム、熱可塑性エラストマー等を用いることができる。これらの中でも、熱可塑性エラストマーを用いることが好ましい。
【００２５】
ジエン系ゴムとしては、イソプレンゴム（ＩＲ）、ブタジエンゴム（ＢＲ）、スチレン・ブタジエンゴム（ＳＢＲ）、クロロプレンゴム（ＣＲ）、ニトリルゴム（ＮＢＲ）等が挙げられ、非ジエン系ゴムとしては、ブチルゴム（イソブチエン・イソプレンゴム（ＩＩＲ））、エチレン・プロピレンゴム（ＥＰＭ）、エチレン・プロピレン・ジエンゴム（ＥＰＤＭ）、ウレタンゴム（Ｕ）、シリコーンゴム（Ｑ）等が挙げられる。
【００２６】
熱可塑性エラストマーとしては、ＳＢＳ、ＳＩＳ、ＳＥＢＳ、ＳＥＰＳ等のスチレン系エラストマー（ＴＰＳ）、オレフィン系エラストマー（ＴＰＯ）、エステル系エラストマー（ＴＰＣ）、ウレタン系エラストマー（ＴＰＵ）、アミド系熱可塑性エラストマー（ＴＰＡ）、熱可塑性ゴム架橋（ＴＰＶ）等が挙げられる。これらのエラストマーは１種を単独で又は２種以上を組み合わせて用いることもできる。
【００２７】
また、保護シート１０を形成するためのエラストマーは、ＡＳＴＭ Ｄ２２４０ ０−１００に準拠して測定された硬度（ショアＡ硬度）が、好ましくは３０以上であり、より好ましくは４０以上であり、また、好ましくは８０以下であり、より好ましくは７０以下であり、より具体的には、好ましくは３０以上８０以下であり、より好ましくは４０以上７０以下の素材を用いることが好ましい。ここで、ショアＡ硬度は次のように測定することができる。
【００２８】
〔ショアＡ硬度の測定方法〕
平らな面に置いた試料の平面に、両手で保持したゴム硬度計の加圧面を真上から一定速度で垂直に押し付け、密着後、１秒以内の該ゴム硬度計の指針の値（押込量）を「硬さ」とする。試料の測定位置は試料の端から１２ｍｍ以上内側、測定箇所の間隔は６ｍｍ以上とする。測定に使用する試料は、長さ及び幅をそれぞれ２５ｍｍ以上、厚みを６ｍｍ以上とし、試験環境は温度２３±２度、湿度５０±５％とする。５ヶ所の中央値あるいは平均値を測定値に採用し、ゴム硬度計（株式会社テクロック製，ＧＳ７０９Ｎ 形式Ａ）で５０を示した場合、ショアＡ硬度は５０（「Ａ５０」）である。
【００２９】
保護シート１０のシート厚としては、肌への追従性、肌への塗り易さの点から、０．０５ｍｍ〜１．０ｍｍとすることが好ましく、０．１ｍｍ〜０．５ｍｍとすることが更に好ましい。
【００３０】
保護シート１０の製造方法としては、透明フィルムを常法により打ち抜く抜き加工を行えばよい。
【００３１】
（ケーキ状メイクアップ化粧料）
本発明においてケーキ状メイクアップ化粧料３自体は従前のケーキ状メイクアップ化粧料と同様とすることができ、これを収容する容器本体２や蓋４も公知のものと同様とすることができるが、本実施例のメイクアップ化粧品１のように、互いに色が異なる複数のケーキ状メイクアップ化粧料３が同一面にパレット状に配置されていることが好ましく、複数色のケーキ状メイクアップ化粧料の中に明度だけでなく、色相の異なるものが含まれていることがより好ましい。このようなメイクアップ化粧料としては、上述の実施例ではアイシャドウをあげたが、これに限られず、チーク、フェースカラー等をあげることができる。アイライナーやアイブロウも複数色を備えていればよい。
【００３２】
互いに色が異なる個々のケーキ状メイクアップ化粧料３は枠６で仕切られ、枠６がケーキ状メイクアップ３の上面から突出しているか、あるいは複数色のケーキ状メイクアップ化粧料３が色毎に容器本体に設けられた凹部に充填されている場合には、ケーキ状メイクアップ化粧料の上面が凹部の上端に達しないように充填されていることが好ましい。これにより、ケーキ状メイクアップ化粧料３の上に載置する保護シート１０にケーキ状メイクアップ化粧料３が付着することを抑制することができる。
【００３３】
なお、本発明のメイクアップ化粧品によれば、上記の実施例に限定されることなく、種々の変更が可能である。例えば、ケーキ状メイクアップ化粧料３は単色のみを収容していてもよい。複数色のケーキ状メイクアップ化粧料３を収容している場合に、容器本体２は色毎に仕切る枠を備えていなくてもよい。
【００３４】
また、本発明のメイクアップ化粧品によれば、前述のように保護シート１０のステンシル領域１２を用いて肌に種々の図柄を描くことができるが、本発明のメイクアップ化粧品は通常の化粧に使用することもできる。
【符号の説明】
【００３５】
１  メイクアップ化粧品
２  容器本体
３  ケーキ状アイシャドウ、ケーキ状メイクアップ化粧料
３ａ  色毎のアイシャドウ領域
４  蓋
５  鏡
６  枠
７  塗布具
１０、１０Ａ、１０Ｂ、１０Ｃ  保護シート
１１  抜き穴
１１ａ  面積の大きい抜き穴
１２  ステンシル領域
１３  方眼
１４  抜き穴に掛かるマス目全体の外周
【図１】
0006939848.tif 000002
【図２】
0006939848.tif 000003
【図３Ａ】
0006939848.tif 000004
【図３Ｂ】
0006939848.tif 000005
【図４Ａ】
0006939848.tif 000006
【図４Ｂ】
0006939848.tif 000007
【図５】
0006939848.tif 000008
【図６】
0006939848.tif 000009
【図７】
0006939848.tif 000010
【図８】
0006939848.tif 000011